(57)【要約】【課題】錠剤５３等の商品を収容したＰＴＰシート５０に取り付けられ、一枚のブランクシートを打ち抜いて形成された台紙１２を備える。台紙１２は、ＰＴＰシート５０の突出部５２ａが突出した面に重ねられる第１側面１４と、第１側面１４に形成され突出部５２ａが挿通される複数個の孔部１６と、第１側面１４に折罫線２６を介して連続しＰＴＰシート５０の反対側の面に折り返される第２側面２４とを有する。第２側面２４は、ＰＴＰシート５０に折り重ねられたときに、突出部５２ａに対向する位置に形成された破断線２８を有する。第３側面３６の第１側面１４に重ねられる面に取り付けられ、ＰＴＰシート５０に向かって突出した押出用突起６０を有する取り出しジグ５６を備える。
2010103658.tif 000002
【特許請求の範囲】
【請求項１】
商品を内側に収容した複数の突出部と前記突出部の周囲に設けられた平板部を有する成形体に、破断可能なシートが取り付けられて前記突出部の開口部が閉鎖されたＰＴＰシートと、前記ＰＴＰシートが取り付けられた台紙が設けられ、前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され前記ＰＴＰシートに折り重ねられたときに前記各突出部に対向する位置に形成された複数の破断部と、前記第一側面と第二側面の間に前記ＰＴＰシートを保持する固定手段と、前記第１側面に取り付けられ前記ＰＴＰシートの前記突出部と対向する押出部を有した取り出しジグが設けられていることを特徴とするカード型包装体。
【請求項２】
前記押出部は、前記突出部に向かって突出した突起である請求項１記載のカード型包装体。
【請求項３】
前記第２側面に設けられている前記破断線は、前記ＰＴＰシートの前記突出部の周囲を囲む円形に沿って切断部と切り残し部が交互に設けられ、所定の位置で切り残し部が破断するように形成されている請求項１記載のカード型包装体。
【請求項４】
前記ＰＴＰシートの前記突出部は仮想円の円周上に並んで設けられ、前記取り出しジグは、その一端部が前記第１側面に形成された保持用透孔に回転可能に係止され、他端部は前記ＰＴＰシートの前記突出部が並ぶ仮想円の円周上に一致するように形成されている請求項１記載のカード型包装体。
【請求項５】
前記取り出しジグの本体の中間部には位置決め突起が形成され、前記取り出しジグが所定位置に移動したとき、前記第１側面に形成された位置決め用透孔に前記位置決め突起が差し込まれて係止され、その状態で前記取り出しジグの前記押出部が、前記ＰＴＰシートの前記突出部に対向する請求項１記載のカード型包装体。
【請求項６】
商品を内側に収容した複数の突出部と前記突出部の周囲に設けられた平板部を有する成形体に、破断可能なシートが取り付けられて前記突出部の開口部が閉鎖されたＰＴＰシートと、前記ＰＴＰシートが取り付けられた台紙が設けられ、前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され前記ＰＴＰシートに折り重ねられたときに前記各突出部に対向する位置に形成された複数の破断部と、前記第一側面と第二側面の間に前記ＰＴＰシートを保持する固定手段と、前記第１側面または前記第２側面に折罫線を介して連続し前記第１側面の前記ＰＴＰシートの前記突出部が突出する側の面に重ねられる第３側面と、前記第３側面の前記第１側面に重ねられる面に取り付けられ前記ＰＴＰシートの前記突出部と対向する押出部を有する取り出しジグが設けられていることを特徴とするカード型包装体。
【請求項７】
前記押出部は、前記突出部に向かって突出した突起である請求項６記載のカード型包装体。
【請求項８】
前記第２側面に設けられている前記破断線は、前記ＰＴＰシートの前記突出部の周囲を囲む円形に沿って切断部と切り残し部が交互に設けられ、所定の位置で切り残し部が破断するように形成されている請求項６記載のカード型包装体。
【請求項９】
前記第３側面は、前記第１側面と対面するように折り曲げられ、前記第３側面には、前記取出しジグを移動可能に保持する保持部が設けられ、前記取り出しジグには前記保持部に移動可能に係止される係止部が設けられている請求項６記載のカード型包装体。
【請求項１０】
前記第３側面には、前記取り出しジグの一部が差し込まれて位置決めされる位置決め用透孔が設けられ、前記取り出しジグには、前記位置決め用透孔に差し込まれる位置決め突起が設けられている請求項９記載のカード型包装体。
【請求項１１】
前記ＰＴＰシートの前記突出部は仮想円の円周上に並んで設けられ、前記第３側面には、前記取出しジグを回転可能に保持する保持用透孔が設けられ、前記取り出しジグには前記保持用透孔に回転可能に係止される係止突起が設けられ、前記取り出しジグの前記係止突起が前記保持用透孔に回転可能に係止され、前記取り出しジグの前記押出部は前記ＰＴＰシートの前記突出部が並ぶ仮想円の円周上に位置するように形成されている請求項９記載のカード型包装体。
【請求項１２】
前記取り出しジグの本体の中間部に前記位置決め突起が形成され、前記取り出しジグが所定角度に回転したとき、前記第３側面に形成された前記位置決め用透孔に前記位置決め突起が差し込まれて係止され、その状態で前記取り出しジグの前記押出部が、前記ＰＴＰシートの前記突出部に対向する請求項１１記載のカード型包装体。
【発明の詳細な説明】
【技術分野】
【０００１】
この発明は、ＰＴＰシートに台紙を取り付けて包装したカード型包装体に関する。
【背景技術】
【０００２】
従来、錠剤の包装技術としてＰＴＰシートがある。ＰＴＰシートは、合成樹脂で作られたプラスチック成形体を有し、プラスチック成形体には、錠剤を収容する空間を有した突出部と、突出部の周縁部に形成された平板部が一体に成形されている。ＰＴＰシートは、突出部と反対側の面にアルミ箔などの破断可能なシートが貼り付けられて、突出部の空間が閉鎖され、錠剤を密閉している。錠剤を取り出すときは、指で押し出す方法と、シートをピールする方法がある。指で押し出す方法は、細かな作業が必要であり押し出す際に力が必要で、また力が入れにくいという問題がある。シートをピールする方法も同様に非常に細かな作業が必要であった。【０００３】
近年、錠剤やカプセル剤は服用のし易さの観点から製剤の小形化が進み、それに伴って、ＰＴＰシートの突出部が小さくなり、同時に突出部の厚みが増しているため、強い力で押し出さなければならなくなってきている。このため、力の弱い女性や高齢者のみならず、一般の男性にとっても取り出しにくい場合があり、特に高齢者やリウマチの患者など、指先に力が入り難い人にとって、取出しが困難な場合がある。錠剤が取り出しにくくなることは、高齢患者や心身機能の低下した患者にとって、正しい服薬を阻害する要因となり、薬剤使用のコンプライアンスを低下させることに繋がる。また、社会の高齢化に伴い、高齢者が服用しやすい錠剤とともに、高齢者が使用しやすい錠剤の包装がもとめられている。高齢者のみならず、女性など力のない人、病気により力を入れにくい人、一般の人にとっても使用しやすい包装が求められている。【０００４】
ＰＴＰシートから簡単に錠剤を取り出すことができるものとして、特許文献１に開示されたブリスター包装があった。このブリスター包装は、平板部に突出部を囲むように形成された周辺切り込みが形成されている。開封するときは、平板部を周辺切込みで折り曲げて分割し、外すことで平板部に貼り付けられたシートを剥がして突出部を開封するものである。【０００５】
また、ＰＴＰシートから錠剤を取り出す錠剤取出器も提案されている。例えば、特許文献２に開示されている錠剤取出器と特許文献３に開示されている錠剤のリムーバーは、２個の棒状の本体が一端部で互いに軸止され所定角度で開閉し、一定角度に開くようにバネが設けられている。一方の本体の自由端部には、他方の本体へ向かって突出する突起が形成され、他方の部材のこの突起が当接する部分には透孔が形成されている。ＰＴＰシートから錠剤を取り出すときは、ＰＴＰシートの錠剤が収容されている突出部を透孔に一致させ、一対の本体を閉じる。すると突起が突出部を押して錠剤を押し出し、ＰＴＰシートのシートを破断し、透孔を通過して反対側へ錠剤が取り出されるものである。【０００６】
一方、ＰＴＰシートに紙製等の台紙を取り付け、この台紙に、錠剤の飲み忘れを防ぐように日付を記入する欄や、錠剤の情報や使用上の注意などを印刷するものがある。このような薬剤は、ドラッグストアで購入可能な一般薬の包装または、処方箋が必要な医家向けの薬や、コンプライアンスが非常に重要な治験用の薬の包装などで使用されている。例えば特許文献４に開示されているカード型包装体は、一対の厚紙の間にＰＴＰシートを挟んで封止したものであり、台紙にはＰＴＰシートの突出部が嵌入される孔が設けられている。
【特許文献１】実開平５−６６５号公報
【特許文献２】特開２００２−１４３２７４号公報
【特許文献３】実用新案登録第３０５４８４１号公報
【特許文献４】特開平１０−５９４１５号公報
【発明の開示】
【発明が解決しようとする課題】
【０００７】
上記特許文献１の包装体の場合、ＰＴＰシートの平板部からシートを剥がして開封するため、剥がす力が必要であり、力が弱い高齢者や障害者には取り出しにくいものである。特許文献２と特許文献３に開示された取出器は、簡単に錠剤を取り出すことができるが、指先に力を入れにくい人にとっては使いにくいものである。【０００８】
また、特許文献４の包装体は、台紙に錠剤の飲み忘れを防ぐように日付を記入する欄や、錠剤の情報や使用上の注意などを印刷するものであるが、錠剤を簡単に取り出すことは考えられていないものである。【０００９】
この発明は、上記背景技術の問題点に鑑みてなされたものであり、錠剤等の薬剤を簡単に取り出すことができ、錠剤等についての情報や服用管理のための日付等を印刷することができるカード型包装体を提供することを目的とする。
【課題を解決するための手段】
【００１０】
本発明は、薬剤等の商品を内側に収容した複数の突出部と前記突出部の周囲に設けられた平板部を有する成形体に、破断可能なシートが取り付けられて前記突出部の開口部が閉鎖されたＰＴＰシートと、前記ＰＴＰシートが取り付けられた台紙が設けられ、前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され前記ＰＴＰシートに折り重ねられたときに前記各突出部に対向する位置に形成された複数の破断部と、前記第一側面と第二側面の間に前記ＰＴＰシートを保持する固定手段と、前記第１側面に取り付けられ前記ＰＴＰシートの前記突出部と対向する押出部を有した取り出しジグが設けられているカード型包装体である。【００１１】
前記押出部は、前記突出部に向かって突出した突起である。また、前記第２側面に設けられている前記破断線は、前記ＰＴＰシートの前記突出部の周囲を囲む円形に沿って切断部と切り残し部が交互に設けられ、所定の位置で切り残し部が破断するように形成されている。【００１２】
さらに、前記ＰＴＰシートの前記突出部は仮想円の円周上に並んで設けられ、前記取り出しジグは、その一端部が前記第１側面に形成された保持用透孔に回転可能に係止され、他端部は前記ＰＴＰシートの前記突出部が並ぶ仮想円の円周上に一致するように形成されているものである。【００１３】
前記取り出しジグの本体の中間部には位置決め突起が形成され、前記取り出しジグが所定位置に移動したとき、前記第１側面に形成された位置決め用透孔に前記位置決め突起が差し込まれて係止され、その状態で前記取り出しジグの前記押出部が、前記ＰＴＰシートの前記突出部に対向するものである。【００１４】
また本発明は、薬剤等の商品を内側に収容した複数の突出部と前記突出部の周囲に設けられた平板部を有する成形体に、破断可能なシートが取り付けられて前記突出部の開口部が閉鎖されたＰＴＰシートと、前記ＰＴＰシートが取り付けられた台紙が設けられ、前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され前記ＰＴＰシートに折り重ねられたときに前記各突出部に対向する位置に形成された複数の破断部と、前記第一側面と第二側面の間に前記ＰＴＰシートを保持する固定手段と、前記第１側面または前記第２側面に折罫線を介して連続し前記第１側面の前記ＰＴＰシートの前記突出部が突出する側の面に重ねられる第３側面と、前記第３側面の前記第１側面に重ねられる面に取り付けられ前記ＰＴＰシートの前記突出部と対向する押出部を有する取り出しジグが設けられているカード型包装体である。【００１５】
前記押出部は、前記突出部に向かって突出した突起である。また、前記第２側面に設けられている前記破断線は、前記ＰＴＰシートの前記突出部の周囲を囲む円形に沿って切断部と切り残し部が交互に設けられ、所定の位置で切り残し部が破断するように形成されている。【００１６】
また、前記第３側面は、前記第１側面と対面するように折り曲げられ、前記第３側面には、前記取出しジグを移動可能に保持する保持部が設けられ、前記取り出しジグには前記保持部に移動可能に係止される係止部が設けられているものである。【００１７】
さらに、前記第３側面には、前記取り出しジグの一部が差し込まれて位置決めされる位置決め用透孔が設けられ、前記取り出しジグには、前記位置決め用透孔に差し込まれる位置決め突起が設けられているものである。【００１８】
また、前記ＰＴＰシートの前記突出部は仮想円の円周上に並んで設けられ、前記第３側面には、前記取出しジグを回転可能に保持する保持用透孔が設けられ、前記取り出しジグには前記保持用透孔に回転可能に係止される係止突起が設けられ、前記取り出しジグの前記係止突起が前記保持用透孔に回転可能に係止され、前記取り出しジグの前記押出部は前記ＰＴＰシートの前記突出部が並ぶ仮想円の円周上に位置するように形成されているものである。【００１９】
さらに、前記取り出しジグの本体の中間部に前記位置決め突起が形成され、前記取り出しジグが所定角度に回転したとき、前記第３側面に形成された前記位置決め用透孔に前記位置決め突起が差し込まれて係止され、その状態で前記取り出しジグの前記押出部が、前記ＰＴＰシートの前記突出部に対向するものである。
【発明の効果】
【００２０】
本発明のカード型包装体は、力が弱い人でも簡単に、ＰＴＰシート内に収容されている錠剤等を取り出すことができる。また、商品が錠剤等の薬剤である場合、その薬剤についての情報や、服用管理のための日付や回数等を詳しく印刷し、服用回数の記録を明示することにより、その薬剤のコンプライアンスの向上を図ることができる。さらに、小形の取り出しジグが一体に設けられているため、コンパクトで携帯することができ、どんな場所でも簡単な操作で錠剤等の商品を取り出すことができる。
【図面の簡単な説明】
【００２１】
【図１】この発明の一実施形態のカード型包装体の台紙を開いた状態を示す斜視図（ａ）と、台紙を閉じた状態を示す斜視図（ｂ）である。
【図２】この実施形態のカード型包装体の台紙を開いた状態を示す部分縦断面図（ａ）と、台紙を閉じて錠剤を押し出す状態を示す部分縦断面図（ｂ）である。
【図３】この実施形態のカード型包装体の台紙の展開図である。
【図４】この実施形態のカード型包装体のＰＴＰシートの正面図である。
【図５】この実施形態のカード型包装体の取り出しジグの正面図（ａ）と、平面図（ｂ）である。
【図６】この実施形態のカード型包装体の組み立て工程を示す正面図である。
【図７】この発明の他の実施形態のカード型包装体の台紙を開いた状態を示す部分縦断面図（ａ）と、台紙を閉じた状態を示す斜視図（ｂ）である。
【発明を実施するための形態】
【００２２】
以下、この発明の実施形態について図面に基づいて説明する。図１〜図６はこの発明の一実施形態を示すもので、この実施形態のカード型包装体１０は、紙製等の一枚のブランクシートを打ち抜いて形成された台紙１２が設けられている。台紙１２は、厚み２００μｍ〜８００μｍのものが適するが、その他の厚みも用途により使用可能である。また商品である薬剤の用途や種類により、紙以外の合成樹脂や合成紙、金属も使用可能である。
【００２３】
図３は台紙１２を表面１２ａから見た展開図であり、台紙１２は、一方向に長い矩形の第１側面１４が設けられている。第１側面１４には後述するＰＴＰシート５０の突出部５２ａを入れる孔部１６が形成されている。孔部１６は、第１側面１４のほぼ中央部を中心とする仮想円の円周上に等間隔に７個が設けられている。各孔部１６は円形であり、孔部１６の周囲には孔部１６ごとに異なる色のインクで環状の印刷部１８が設けられている。
【００２４】
第１側面１４の、長手方向の一端部には、第１側面１４とほぼ同形の折返片２０が折罫線２２で区切られて設けられている。折返片２０には、薬剤の説明や服用方法が印刷されている。折罫線２２には、折り曲げやすいように破断線が重ねて設けられている。
【００２５】
第１側面１４の、折罫線２２に交差する一方の側縁部には、第１側面１４とほぼ同形の第２側面２４が折罫線２６で区切られて設けられている。第２側面２４には、折罫線２６で折り返して第１側面１４に重ねられたときに孔部１６に対向する位置に７つの破断部を形成する破断線２８が設けられている。破断線２８は、孔部１６の円周に沿う円形に形成され、切断部と切り残し部が交互に設けられて形成されている。破断線２８の中側には、「１」から「７」までの数字が時計回りに順番に印刷されている。破断線２８の周囲には破断線２８ごとに異なる色のインクで印刷部３０が設けられている。印刷部３０は、第２側面２４の中心から放射方向に沿う互いに等しい長さの２辺を有する二等辺三角形に形成されている。印刷部３０の色は、第２側面２４を第１側面１４に重ねたときに、第１側面１４印刷部１８の色と一致する。
【００２６】
第２側面２４の、折罫線２６と反対側の側縁部には、マチ部３２が折罫線３４で区切られて設けられている。マチ部３２は、折罫線３４から所定幅で側方へ突出する細長い矩形であり、その幅は突出部５２ａの高さとほぼ等しい。マチ部３２の、折罫線３４と反対側の側縁部には、第３側面３６が折罫線３８で区切られて設けられている。第３側面３６は折罫線３８で区切られて、表面部３９と、表面部３９と折罫線４２で区切られ同形状の取り出しジグ保持部４０とにより構成されている。表面部３９は、第１側面１４及び第２側面２４とほぼ同形であり、カード型包装体１０の組立状態で外側面となり、薬剤名やメーカー名等が印刷されている。
【００２７】
第３側面３６の取り出しジグ保持部４０は、表面部３９とほぼ同形であり、取り出しジグ保持部４０の中心には、後述する取り出しジグ５６を係止する保持用透孔４４が設けられている。保持用透孔４４を中心とする仮想円の円周上に、等間隔に７個の位置決め用透孔４６が設けられている。位置決め用透孔４６が位置する仮想円の半径は、第２側面２４において破断線２８が連なる仮想円の半径よりも小さい。そして、各位置決め用透孔４６の仮想円の円周上の位置は、台紙１２を折り畳んだ状態で、第２側面２４の各破断線２８の中心と前記仮想円の中心とを結ぶ７個の放射線上に重なるように位置している。また各位置決め用透孔４６は、各孔部１６よりも小さい円形である。
【００２８】
位置決め用透孔４６の周囲には、位置決め用透孔４６ごとに異なる色のインクで印刷部４８が設けられている。印刷部４８は、保持用透孔４４から放射方向に沿う互いに等しい長さの２辺を有する二等辺三角形が形成されている。各印刷部４８の色は、第２側面２４の各印刷部３０の色と、同じ位置に同じものが設けられている。印刷部４８の中側には、位置決め用透孔４６よりも保持用透孔４４から離れた位置に、「１」から「７」までの数字が時計回りに順番に印刷され、順番は第２側面２４の各破断線２８に印刷された数字と同じ位置に同じものが設けられている。
【００２９】
次に、台紙１２に挟むＰＴＰシート５０について説明する。ＰＴＰシート５０は、プラスチック成形体５２が設けられ、図１、図４に示すように、プラスチック成形体５２には、錠剤５３を内側に収容する突出部５２ａと、突出部５２ａの周縁部の平板部５２ｂが設けられている。プラスチック成形体５２の材料は、ＰＰ、ＰＶＣ、ＰＥＴ、ＰＶＣ／ＰＶＤＣ、ＰＶＣ／三フッ化塩化エチレン、アルミやアルミラミネート材等のバリア包装材などである。
【００３０】
平板部５２ｂには、突出部５２ａの突出方向と反対の面に薄いアルミ箔、樹脂シート等の破断可能なシート５４が貼り付けられて突出部５２ａの開口部が閉鎖され、錠剤５３を密閉している。一枚のＰＴＰシート５０には７個の突出部５２ａが設けられ、突出部５２ａは、プラスチック成形体５２の中央部を中心とする仮想円の円周上に、等間隔に設けられている。ＰＴＰシート５０は、台紙１２の第１側面１４よりも小さい矩形であり、突出部５２ａは、孔部１６に一致する位置に設けられ、孔部１６に差し込まれる大きさに形成されている。
【００３１】
次に、台紙１２の取り出しジグ保持部４０に取り付けられる取り出しジグ５６について説明する。取り出しジグ５６は、ＰＰ等の合成樹脂で一体成形されたものであり、図５に示すように、一方向に長い板部材である本体５８を有し、本体５８の長手方向の一方の端部５８ａは外側に棒出する曲線であり本体５８の一方の側面から突出する円錐形の押出用突起６０が形成されている。押出用突起６０の先端部の直径は、プラスチック成形体５２の突出部５２ａの直径よりも小さい方が、押し出しやすく好ましい。本体５８の端部５８ａから少し離れた位置には、押出用突起６０と反対側へ突出する位置決め突起６２が設けられている。位置決め突起６２は、押出用突起６０よりも突出量が小さい。
【００３２】
本体５８の、端部５８ａと反対側の端部５８ｂは、２股に分割されて互いに離れるように外側に湾曲されている。端部５８ｂの先端には、係止突起６４が一体に設けられている。係止突起６４は円筒形が２分割されたような２部材から成り、一対が互いに対向して円筒形のようになり、本体５８の側面に対して直角な挿通方向で、押出用突起６０と反対側へ突出している。係止突起６４の外周面には、本体５８と離間して平行なフランジ部６６が外側へ突出して設けられている。取り出しジグ５６の、係止突起６４と位置決め突起６２との間隔は、取り出しジグ保持部４０の保持用透孔４４から位置決め用透孔４６の長さにほぼ等しく、係止突起６４と押出用突起６０との間隔は、カード型包装体１０を組み立てた状態で台紙１２を閉じたとき、取り出しジグ保持部４０の保持用透孔４４から第１側面１４の孔部１６までの長さにほぼ等しい。
【００３３】
次に、この実施形態のカード型包装体１０の組立方法について説明する。なお、ここでは図３がカード型包装体１０の台紙１２の表面１２ａを見たものであり、台紙１２の表面１２ａが凸になる折り方を正折り、そして裏面１２ｂが凸になる折り方を逆折りと称する。
【００３４】
まず、第１側面１４の裏面１２ｂに周縁部を一周して接着剤６８を塗布し、ＰＴＰシート５０を貼り付ける。このとき、ＰＴＰシート５０のプラスチック成形体５２が第１側面１４に当接する方向に重ね、突出部５２ａを孔部１６に差し込み、表面１２ａ側へ突出させる。次に、第２側面２４を折罫線２６で正折し、第２側面２４の裏面１２ｂが固定手段である接着剤６８により第１側面１４の裏面１２ｂに接着される。接着剤６８は、ＰＴＰシート５０のプラスチック成形体５２よりも広く塗布されているため、ＰＴＰシート５０の周囲に露出し、第２側面２４に確実に接着する。そして、取り出しジグ保持部４０の裏面１２ｂに周縁部を一周して接着剤７０を塗布し、折罫線４２で正折し、第３側面３６の裏面１２ｂが接着剤７０により取り出しジグ保持部４０の裏面１２ｂに接着され、図６に示す状態となる。
【００３５】
さらに、折返片２０を折罫線２２で正折して第２側面２４に重ね、取り出しジグ５６を取り出しジグ保持部４０にセットし、図１（ａ）に示す状態となる。このとき、取り出しジグ５６の係止突起６４を取り出しジグ保持部４０の保持用透孔４４に差し込み、フランジ部６６が保持用透孔４４の周縁部の裏面１２ｂに当接し、係止突起６４が抜け落ちないように係止される。端部５８ｂは二股に分岐しているため、互いに近づけくように弾性変形させると、係止突起６４の直径が小さくなりフランジ部６６を保持用透孔４４に挿通することができる。そして、折罫線３４，３８を９０°に正折してマチ部３２を中心として台紙１２を二つ折りし、図１（ｂ）に示す状態となり製品となる。このとき第３側面３６が外側面に位置し、薬剤名やメーカー名の印刷が視認される。
【００３６】
二つ折りされた台紙１２が広がらないように、袋に入れたり封緘用のテープで止めたりしても良い。封緘には、接着剤を使用することもできる。接着剤としてホットメルト接着剤等があるが、台紙１２を開いたときにホットメルト接着剤がべとつかないように工夫すると良い。例えば、ＰＴＰシート５０の突出部５２ａより僅かに高い突出部をＰＴＰシート５０上に設け、その突出部が当接する取出ジグ保持部４０の一部分に透孔を設け、透孔から露出する第３側面３６にホットメルト接着剤を塗布しても良い。これにより、取り出しジグ保持部４０の表面１２ａよりもくぼんだ部分にホットメルト接着剤を塗布することができ、指等にホットメルト接着剤が付着することを防ぎ、さらにホットメルト接着剤に埃や汚れが付着しにくくなり、台紙１２を閉じたときにはＰＴＰシート５０の突出部５２ａより高い突出部が透孔に差し込まれて確実にホットメルト接着剤に粘着され、二つ折りの台紙１２が閉じられる。
【００３７】
カード型包装体１０から錠剤５３を取り出すときは、１回目は、係止突起６４を中心に取り出しジグ５６を回転させて、「１」と印刷された印刷部４８にセットし、図２（ａ）に示すように位置決め突起６２を位置決め用透孔４６に差し込み回転を止めて位置決めする。そして折罫線３４，３８を９０°に正折してマチ部３２を中心として台紙１２を二つ折りし、図２（ｂ）に示すように互いに押し付ける。すると、取り出しジグ５６の押出用突起６０が第１側面１４の１個の孔部１６に差し込まれたＰＴＰシート５０の突出部５２ａを押し、錠剤５３が押し出されて、ＰＴＰシート５０のシート５４と第２側面２４の「１」と印刷された破断線２８を切断して、錠剤５３が取り出される。このとき、折返片２０が第２側面２４に重ねられているため、錠剤５３が落下することを防ぐ。次の服用時に錠剤５３を取り出すときは、取り出しジグ５６を回転させて「２」と印刷された印刷部４８にセットし、折罫線３４，３８を９０°に正折してマチ部３２を中心として台紙１２を二つ折りし、第２側面２４の「２」と印刷された破断線２８を切断して、錠剤５３が取り出される。これを順次繰り返す。何回服用したか、切断された破断線２８に印刷された数字で明確となる。
【００３８】
この実施形態のカード型包装体１０によれば、弱い力でも簡単に、収納されている錠剤５３を取り出すことができる。錠剤５３を上向きに押し出すこともでき、下向きに押し出すことも可能である。取り出しジグ５６が一体に取り付けられているため、取り出し操作が簡単であり、指先を使わずに手のひらや肘などを使って第２側面２４又は第３側面３６を押し付けることで錠剤５３を取り出すことができる。リウマチや脳血管障害の患者や高齢者でも簡単に錠剤５３を取り出すことができる。なお、一般の健常者にも便利なものである。台紙１２を開いた状態にして、ＰＴＰシート５０の突出部５２ａを指で押して、従来のＰＴＰシート５０のように錠剤５３を取り出すこともできる。
【００３９】
また、取り出しジグ５６は、位置決め突起６２が印刷部４８の位置決め用透孔４６に差し込まれて位置決めされるため、取り出す錠剤５３を印刷部４８の数字を見ながら選び、正確に取り出すことができる。錠剤５３は、第２側面２４の破断線２８を切断して取り出されるため、服用した痕跡が残り、服用管理を行うことができる。このことから、高齢者や心身機能の低下した患者などの誤飲・誤用の防止、医療機関の服薬指導の高質化に効果がある。このように、カード型包装体１０は錠剤５３が容易に取り出すことができるとともに、服用の方法、注意、記録を明示することにより、薬剤服用のコンプライアンスの向上を図ることができる。
【００４０】
取り出しジグ５６は、係止突起６４のフランジ部６６が確実に取り出しジグ保持部４０の裏面１２ｂに係止されるため、輸送中等に不用意に外れることがない。しかし、廃棄するときは、取り出しジグ５６を簡単な操作で外して、台紙１２と分別廃棄することができる。またその場合ＰＴＰシート５０と台紙１２も、台紙１２を破るなどして分別廃棄することが出来る。このような分別廃棄が求められる場合には、第一側面１４と第二側面２４にはＰＴＰシート５０を挟み込んで固定するだけの構造や、台紙１２にミシン目を入れておいて台紙１２のミシン目で破くとＰＴＰシート５０が簡単に台紙１２から取りはずれるような構造にしても良い。
【００４１】
また、取り出しジグ５６を、取り出しジグ保持部４０の印刷部４８以外の待機位置にセットしておくと誤って錠剤５３が取り出されることがなく、また取り出しジグ５６をあらかじめ取り出しジグ保持部４０から簡単な操作で外しておいても錠剤５３の不用意な取り出しを防ぐことができる。これにより小児が誤って錠剤５３を取り出して服用してしまう誤飲事故を防止する対策を取ることができる。カード型包装体１０の組立工程でも、簡単に取り出しジグ保持部４０に手や機械で取り付けることができ、製造効率が良い。
【００４２】
取り出しジグ５６はコンパクトでありかさばらないものであり、カード型包装体１０を小形にして携帯することができ、どんな場所でも簡単な操作で錠剤を取り出して服用することができる。取り出しジグ５６はコンパクトであるが、錠剤５３を押し出すときは第３側面３６や第２側面２４の中心付近を押せばよいため、細かい操作が不用である。
【００４３】
第２側面２４の裏面１２ｂには折返片２０が重ねられているため、破断線２８が切断した跡を覆うことができ、外観がすっきりとしたものである。また、折返片２０は、第２側面２４の破断線２８から錠剤５３が勢いよく飛び出したときに、錠剤５３が飛び跳ねて行方不明になったり床に落下したりすることを防いでいる。
【００４４】
台紙１２の破断線２８は、切断部と切り残し部が交互に設けられて形成されているため、錠剤５３を取り出すときに切り残し部を切断する抵抗があり、錠剤５３を上向きや下向きに押し出した際に、押し出した錠剤５３が勢い良く飛び出すことを防ぐことができる。破断線２８の切断部と切り残し部の割合を変化させることにより、錠剤５３を押し出す時の抵抗を変えて出しやすさを調整することができる。錠剤５３を取り出すときの取り出しジグ５６が加える力の強さは一定方向のため、切り残し部の位置を中心から放射線上にあたる位置に設定した場合に、最も取り出しやすさを調整しやすいものとなる。また、切り残し部の割合を所定の位置で変えることにより、切り残し部の少ない位置で破断線２８が破断し、破断した側に錠剤５３が落ちるので、錠剤５３の取り出し方向を任意に設定することができる。
【００４５】
台紙１２には、折返片２０と第３側面３６に印刷するスペースが広く設けられ、錠剤５３についての情報を詳しく印刷し、消費者に強い印象を与えることができる。用法用量や薬剤情報など必要な情報を消費者がわかり易いような表示で記載することができ、錠剤５３を押し出す方法についてもイラストで記載し、色分けするなどしてわかり易くすることができる。
【００４６】
台紙１２を閉じた状態で袋に入れたり、テープで止めたり、粘着材でとめて広がらないようにして、販売店で吊下げて販売することができる。また、ポケットに入る大きさとして持ち歩くこともできる。
【００４７】
次にこの発明のカード型包装体の他の実施形態について、図７を基にして説明する。ここで、上記実施形態と同様の部材は同一の符号を付して説明を省略する。この実施形態のカード型包装体７２は、第１側面１４に、ＰＴＰシート５０の突出部５２ａと対向する押出部である押出用突起８０を有した取り出しジグ７６が設けられたものである。
【００４８】
取り出しジグ７６は、ＰＰ等の合成樹脂で一体成形されたものであり、図７に示すように、本体７８を有し、本体７８の長手方向の一方の端部７８ａに、本体７８の一方の側面から突出する円錐形の押出用突起８０が形成されている。押出用突起８０の先端部の直径は、プラスチック成形体５２の突出部５２ａの直径よりも小さい。
【００４９】
本体７８の、端部７８ａと反対側の端部７８ｂには、第１側面１４、ＰＴＰシート５０，及び第２側面２４の中央部を貫通して形成された保持用透孔７４に嵌合する係止部８２が設けられている。係止部８２は、円柱部８２ａの両端部にフランジ部８２ｂが設けられて、保持用透孔７４からの脱落を防止している。円柱部８２ａの長さは、突出部５２ａの高さとほぼ等しく形成され、押圧操作時に保持用透孔７４を摺動可能に設けられている。
【００５０】
この実施形態のカード型包装体７２によれば、上記実施形態と同様の効果を有するとともに、簡単な構成で、安価に提供することができる。
【００５１】
なお、この発明のカード型包装体は、上記各実施形態に限定されるものではなく、収容する錠剤の数は適宜変更可能であり、ＰＴＰシートの突出部の位置は仮想円の円周上に位置するものやそれよりも長いもの以外に、直線上に位置するものや複数列にならべられたものなど自由に変更可能である。例えば、突出部の配置に合わせて、取り出しジグを保持する保持部や保持用透孔を、ＰＴＰシートの突出部の列に平行な溝状にして、取り出しジグをその溝に沿って摺動可能にしてもよく、さらに位置決め用の凹凸をＰＴＰシートの突出部に対向させ、取り出しジグの押出用突起が突出部を確実に押圧するように設定してもよい。これにより、従来から市場で一般に用いられている２列×５錠などの四角のＰＴＰシートに対してこの発明を使用することもできる。
【００５２】
また、ＰＴＰシートのプラスチック成形体の素材は自由に選択可能であり、アルミなどでもよい。ＰＴＰシートの突出部が、等間隔にあるべき一箇所を成形しないで取り出しジグの待機位置としても良い。
【００５３】
取り出しジグの形状や、大きさ、色、又は取り出しジグの突起部の形状や、大きさ、色は、錠剤、カプセル、ＰＴＰシートの突出部の形状等に合わせて調整することができる。取り出しジグが取り出しジグ保持部に係止される構造は、係止突起とフランジ部以外でも良い。取り出しジグの係止突起の形状を変えて、取り出しジグが一方向のみに回転し逆方向には移動できないようにしてもよい。例えばその方法は、一定角度で回転移動し一方向にしか回転しないツメグルマのような機構も用いることが出来る。
【００５４】
取り出しジグの素材は自由であり、適度な成形性と弾力性が備わるものであれば良く、ＰＰ以外の合成樹脂、エンジニアリングプラスチック、紙等も使用可能である。取り出しジグを取り出しジグ保持部にはめ込んだ後に、台紙の上下でかしめて台紙を破らない限り取り出せない構造にしてもよい。
【００５５】
台紙は上記実施形態以外の形状でもよく、各部材の連接する順番も変更可能である。必要な表示量に応じてパネルを増やすこともできる。台紙の素材は、紙以外に、プラスチック、射出成形品、金属等自由に選択することができる。台紙に取り出しジグを取り付けるときに、より容易に取り付けができるように取り出しジグ保持部と表面部の間に数ミリ以下の空間を設けてもよい。空間の空け方は、周囲へのエンボッシングや折罫線を設けることによる。取り出しジグ保持部の保持用透孔の形状を変化させて、取り出しジグを一方向のみに移動させるようにしてもよい。第２側面に設けられた破断線は、円形以外の形状でもよい。第３側面は、複数枚のシートを使用せず、単に一枚のシートに保持用透孔を形成して取り出しジグを取り付けてもよい。保持用透孔の周囲にミシン目を施し、廃棄時にはそこから切断して取り出しジグを台紙から分離して分別廃棄可能としてもよい。また、ＰＴＰシートに包装されるものは薬剤に限らず、他の商品でも良い。
【符号の説明】
【００５６】
１０  カード型包装体
１２  台紙
１４  第１側面
１６  孔部
１８，３０，４８  印刷部
２０  折返片
２４  第２側面
２６  折罫線
２８  破断線
３２  マチ部
３６  第３側面
４０  取り出しジグ保持部
４４  保持用透孔
４６  位置決め用透孔
５０  ＰＴＰシート
５２  プラスチック成形体
５２ａ  突出部
５２ｂ  平板部
５３  錠剤
５４  シート
５６  取り出しジグ
５８  本体
６０  押出用突起
６２  位置決め突起
６４  係止突起
６６  フランジ部
【図１】
2010103658.tif 000003
【図２】
2010103658.tif 000004
【図３】
2010103658.tif 000005
【図４】
2010103658.tif 000006
【図５】
2010103658.tif 000007
【図６】
2010103658.tif 000008
【図７】
2010103658.tif 000009
【国際調査報告】
2010103658.tif 000010
2010103658.tif 000011
2010103658.tif 000012
2010103658.tif 000013